(57)【特許請求の範囲】
【請求項１】
ＣＩＦ値と呼ばれるキャリアインジケータフィールド値からコンポーネントキャリアへマッピングを再構成する無線ネットワークノードにおいて実行される方法であって、各ＣＩＦ値は、対応する共有データチャネルを含む対応するコンポーネントキャリアにマッピングされており、各共有データチャネルは、前記各ＣＩＦ値を搬送する少なくとも１つのダウンリンク制御チャネルに対応しており、前記コンポーネントキャリアは、前記無線ネットワークノードによって割り当てられるものであり、前記無線ネットワークノードとユーザ装置とはマルチキャリア無線ネットワーク通信システムに含まれており、
前記方法は、
コンポーネントキャリアに対するＣＩＦ値の少なくとも１つのマッピングが維持されている間に、複数のＣＩＦ値から複数のコンポーネントキャリアへのマッピングを再構成するとともに、コンポーネントキャリアに対するＣＩＦ値の少なくとも１つのマッピングを、他のコンポーネントキャリアへのマッピングへと変更するステップであって、コンポーネントキャリアに対するＣＩＦ値の前記少なくとも１つのマッピングにおける前記コンポーネントキャリアは、前記少なくとも１つのダウンリンク制御チャネルと、当該少なくとも１つのダウンリンク制御チャネルに対応した共有データチャネルとを有しているコンポーネントキャリアである、ステップと
ＣＩＦ値からコンポーネントキャリアへのマッピングであって前記再構成されたマッピングの少なくとも１つを前記ユーザ装置へ送信するステップと
を有することを特徴とする方法。
【請求項２】
コンポーネントキャリアに対するＣＩＦ値の前記少なくとも１つの維持されたマッピングにおける前記コンポーネントキャリアは、プライマリーセルに対応しており、前記プライマリーセルは、前記無線ネットワークノードによって管理されている前記複数のコンポーネントキャリアのうちの１つであることを特徴とする請求項１に記載の方法。
【請求項３】
コンポーネントキャリアに対するＣＩＦ値の前記少なくとも１つの維持されたマッピングにおける前記ＣＩＦ値は、ゼロに等しいことを特徴とする請求項１に記載の方法。
【請求項４】
前記再構成されたマッピングの少なくとも１つを前記ユーザ装置へ送信するステップは、
ＣＩＦ値からコンポーネントキャリアへの前記少なくとも１つの維持されたマッピングを前記ユーザ装置へ送信することを控えるステップ
を含むことを特徴とする請求項１ないし３のいずれか１項に記載の方法。
【請求項５】
前記ダウンリンク制御チャネルは、ＰＤＣＣＨであり、前記共有データチャネルはＰＤＳＣＨまたはＰＵＳＣＨであることを特徴とする請求項１ないし４のいずれか１項に記載の方法。
【請求項６】
前記再構成されたマッピングの少なくとも１つを前記ユーザ装置へ送信するステップは、無線リソース制御プロトコルを使用して実行されることを特徴とする請求項１ないし５のいずれか１項に記載の方法。
【請求項７】
ＣＩＦ値と呼ばれるキャリアインジケータフィールド値からコンポーネントキャリアへマッピングを再構成する無線ネットワークノードに含まれる装置であって、各ＣＩＦ値は、対応する共有データチャネルを含む対応するコンポーネントキャリアにマッピングされており、各共有データチャネルは、前記各ＣＩＦ値を搬送する少なくとも１つのダウンリンク制御チャネルに対応しており、前記コンポーネントキャリアは、前記無線ネットワークノードによって割り当てられるものであり、前記無線ネットワークノードとユーザ装置とはマルチキャリア無線ネットワーク通信システムに含まれており、
前記装置は、
コンポーネントキャリアに対するＣＩＦ値の少なくとも１つのマッピングが維持されている間に、複数のＣＩＦ値から複数のコンポーネントキャリアへのマッピングを再構成するとともに、コンポーネントキャリアに対するＣＩＦ値の少なくとも１つのマッピングを、他のコンポーネントキャリアへのマッピングへと変更する再構成回路であって、コンポーネントキャリアに対するＣＩＦ値の前記少なくとも１つのマッピングにおける前記コンポーネントキャリアは、前記少なくとも１つのダウンリンク制御チャネルと、当該少なくとも１つのダウンリンク制御チャネルに対応した共有データチャネルとを有しているコンポーネントキャリアである、再構成回路と
ＣＩＦ値からコンポーネントキャリアへのマッピングであって前記再構成されたマッピングの少なくとも１つを前記ユーザ装置へ送信する送信回路と
を備えることを特徴とする装置。
【請求項８】
コンポーネントキャリアに対するＣＩＦ値の前記少なくとも１つの維持されたマッピングにおける前記コンポーネントキャリアは、プライマリーセルに対応しており、前記プライマリーセルは、前記無線ネットワークノードによって管理されている前記複数のコンポーネントキャリアのうちの１つであることを特徴とする請求項７に記載の装置。
【請求項９】
コンポーネントキャリアに対するＣＩＦ値の前記少なくとも１つの維持されたマッピングにおける前記ＣＩＦ値は、ゼロに等しいことを特徴とする請求項７に記載の装置。
【請求項１０】
前記送信回路は、ＣＩＦ値からコンポーネントキャリアへの前記少なくとも１つの維持されたマッピングを前記ユーザ装置へ送信することを控えるように構成されていることを特徴とする請求項７ないし９のいずれか１項に記載の装置。
【請求項１１】
前記ダウンリンク制御チャネルは、ＰＤＣＣＨであり、前記共有データチャネルはＰＤＳＣＨまたはＰＵＳＣＨであることを特徴とする請求項７ないし１０のいずれか１項に記載の装置。
【請求項１２】
前記送信回路は、前記再構成されたマッピングの少なくとも１つを前記ユーザ装置へ送信するときに、無線リソース制御プロトコルを使用することを特徴とする請求項７ないし１１のいずれか１項に記載の装置。
【請求項１３】
ＣＩＦ値と呼ばれるキャリアインジケータフィールド値からコンポーネントキャリアへマッピングを再構成するＵＥ（ユーザ装置）において実行される方法であって、各ＣＩＦ値は、対応する共有データチャネルを含む対応するコンポーネントキャリアにマッピングされており、各共有データチャネルは、前記各ＣＩＦ値を搬送する少なくとも１つのダウンリンク制御チャネルに対応しており、前記コンポーネントキャリアを管理している前記ＵＥと無線ネットワークノードとがマルチキャリア無線ネットワーク通信システムに含まれており、
前記方法は、
複数のＣＩＦ値から複数のコンポーネントキャリアへのマッピングであって再構成されたマッピングを前記無線ネットワークノードから受信するステップであって、前記再構成されたマッピングには、コンポーネントキャリアに対するＣＩＦ値の少なくとも１つの維持されたマッピングと、コンポーネントキャリアに対するＣＩＦ値の少なくとも１つの変更されたマッピングとが含まれており、コンポーネントキャリアに対するＣＩＦ値の少なくとも１つのマッピングにおける前記コンポーネントキャリアは、前記少なくとも１つのダウンリンク制御チャネルと、当該少なくとも１つのダウンリンク制御チャネルに対応した共有データチャネルとを有しているコンポーネントキャリアである、ステップと、
前記受信した再構成されたマッピングにしたがって、ＣＩＦ値からコンポーネントキャリアへのマッピングを再構成するステップと
を有することを特徴とする方法。
【請求項１４】
前記受信した再構成されたマッピングに含まれている、コンポーネントキャリアに対するＣＩＦ値の前記少なくとも１つの維持されたマッピングは、プライマリーセルに対応しており、前記プライマリーセルは、前記無線ネットワークノードによって管理されている前記複数のコンポーネントキャリアのうちの１つであることを特徴とする請求項１３に記載の方法。
【請求項１５】
前記受信した再構成されたマッピングに含まれている、コンポーネントキャリアに対するＣＩＦ値の前記少なくとも１つの維持されたマッピングにおける前記ＣＩＦ値は、ゼロに等しいことを特徴とする請求項１３に記載の方法。
【請求項１６】
前記ダウンリンク制御チャネルは、ＰＤＣＣＨであり、前記共有データチャネルはＰＤＳＣＨまたはＰＵＳＣＨであることを特徴とする請求項１３ないし１５のいずれか１項に記載の方法。
【請求項１７】
前記再構成されたマッピングを受信するステップは、無線リソース制御プロトコルを使用して実行されることを特徴とする請求項１３ないし１６のいずれか１項に記載の方法。
【請求項１８】
ＣＩＦ値と呼ばれるキャリアインジケータフィールド値からコンポーネントキャリアへマッピングを再構成するユーザ装置（ＵＥ）であって、各ＣＩＦ値は、対応する共有データチャネルを含む対応するコンポーネントキャリアにマッピングされており、各共有データチャネルは、前記各ＣＩＦ値を搬送する少なくとも１つのダウンリンク制御チャネルに対応しており、前記コンポーネントキャリアを管理している前記ＵＥと無線ネットワークノードとがマルチキャリア無線ネットワーク通信システムに含まれており、
前記ＵＥは、
複数のＣＩＦ値から複数のコンポーネントキャリアへのマッピングであって再構成されたマッピングを前記無線ネットワークノードから受信する受信回路であって、前記再構成されたマッピングには、コンポーネントキャリアに対するＣＩＦ値の少なくとも１つの維持されたマッピングと、コンポーネントキャリアに対するＣＩＦ値の少なくとも１つの変更されたマッピングとが含まれており、コンポーネントキャリアに対するＣＩＦ値の少なくとも１つのマッピングにおける前記コンポーネントキャリアは、前記少なくとも１つのダウンリンク制御チャネルと、当該少なくとも１つのダウンリンク制御チャネルに対応した共有データチャネルとを有しているコンポーネントキャリアである、受信回路と、
コンポーネントキャリアに対するＣＩＦ値の少なくとも１つの維持されたマッピングと、コンポーネントキャリアに対するＣＩＦ値の少なくとも１つの変更されたマッピングとを含んだ前記受信した再構成されたマッピングにしたがって、ＣＩＦ値からコンポーネントキャリアへのマッピングを再構成する再構成回路と
を備えることを特徴とする装置。
【請求項１９】
前記受信した再構成されたマッピングに含まれている、コンポーネントキャリアに対するＣＩＦ値の前記少なくとも１つの維持されたマッピングは、プライマリーセルに対応しており、前記プライマリーセルは、前記無線ネットワークノードによって管理されている前記複数のコンポーネントキャリアのうちの１つであることを特徴とする請求項１８に記載の装置。
【請求項２０】
前記受信した再構成されたマッピングに含まれている、コンポーネントキャリアに対するＣＩＦ値の前記少なくとも１つの維持されたマッピングにおける前記ＣＩＦ値は、ゼロに等しいことを特徴とする請求項１８に記載の装置。
【請求項２１】
前記ダウンリンク制御チャネルは、ＰＤＣＣＨであり、前記共有データチャネルはＰＤＳＣＨまたはＰＵＳＣＨであることを特徴とする請求項１８ないし２０のいずれか１項に記載の装置。
【請求項２２】
前記受信回路は、無線リソース制御プロトコルを使用して前記再構成されたマッピングを受信することを特徴とする請求項１８ないし２１のいずれか１項に記載の装置。
【発明の詳細な説明】
【技術分野】
【０００１】
本発明は、マルチキャリア無線通信システムにおける方法および装置に関する。詳細には、本発明は、キャリアインジケータ（識別）フィールド（Ｃａｒｒｉｅｒ  Ｉｎｄｉｃａｔｏｒ  Ｆｉｅｌｄ）値からコンポーネントキャリアへのマッピングを再構成するための無線ネットワークノードにおける方法および装置に関する。
【背景技術】
【０００２】
ＬＴＥ（Ｌｏｎｇ  Ｔｅｒｍ  Ｅｖｏｌｕｔｉｏｎ）は、ダウンリンクにＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）、アップリンクにＤＦＴ拡散ＯＦＤＭ（Ｄｉｓｃｒｅｔｅ  Ｆｏｕｒｉｅｒ  Ｔｒａｎｓｆｏｒｍ  ｓｐｒｅａｄ  Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）を用いる。従って、基本的なＬＴＥダウンリンク物理リソースは、図１に示す時間−周波数グリッドとみなすことができ、ここで個々のリソースエレメントは、１つのＯＦＤＭシンボル間隔の間の１つのＯＦＤＭサブキャリアに対応する。
【０００３】
時間領域では、図２に示すように、ＬＴＥダウンリンク送信は１０ｍｓの無線フレームで構成されており、個々の無線フレームは、長さＴサブフレーム＝１ｍｓの１０個の同じ大きさのサブフレームを有している。
【０００４】
さらに、ＬＴＥのリソース割当ては、典型的には、リソースブロックという用語で説明され、ここで１つのリソースブロックは、時間領域では１つのスロット（０．５ｍｓ）に、周波数領域では１２個の連続するサブキャリアに対応する。リソースブロックは、周波数領域では、システム帯域幅の一端から０で始まる番号が付与されている。
【発明の概要】
【発明が解決しようとする課題】
【０００５】
ダウンリンク送信は、動的にスケジューリングされており、すなわち、個々のサブフレーム（または送信時間間隔、ＴＴＩ）の中で、基地局は、どの端末に対してデータが送信されるのか、および、どのリソースブロック上でデータが送信されるのかについての制御情報を、カレント（現行）のダウンリンクサブフレームの中で送信する。この制御シグナリングは、典型的には、各サブフレームにおける最初の１、２、３、または４個のＯＦＤＭシンボルの中で送信される。制御部として３個のＯＦＤＭシンボルを持つダウンリンクシステムを図３に示す。
【０００６】
アップリンクでデータを送信するには、移動端末は、ＰＵＳＣＨ（Ｐｈｙｓｉｃａｌ  Ｕｐｌｉｎｋ  Ｓｈａｒｅｄ  Ｃｈａｎｎｅｌ）上で、データ送信のためのアップリンクリソースを割り当てられている必要がある。ダウンリンクのデータ割当てとは対照的に、アップリンクでの割当ては、図４に示すように、アップリンクのシングルキャリア特性を保持するために、常に周波数が連続的でなければならない。
【０００７】
最近、最大２０ＭＨｚの帯域幅をサポートするＬＴＥ  Ｒｅｌ−８標準が標準化された。しかし、来たるべきＩＭＴ−Ａｄｖａｎｃｅｄの必要条件を満たすため、３ＧＰＰは、ＬＴＥ−Ａｄｖａｎｃｅｄに関する作業をすでに開始した。ＬＴＥ−Ａｄｖａｎｃｅｄの領域の１つは、２０ＭＨｚを超える帯域幅をサポートすることである。ＬＴＥ−Ａｄｖａｎｃｅｄに関する１つの重要な必要条件は、ＬＴＥ  Ｒｅｌ−８との後方互換性を確保することである。また、これは、スペクトル互換性も含むべきである。それは、２０ＭＨｚより広帯域のＬＴＥ−Ａｄｖａｎｃｅｄキャリアは、ＬＴＥ  Ｒｅｌ−８端末には複数のＬＴＥキャリアのように見えるはずであるということを意味するであろう。そのような個々のキャリアはコンポーネントキャリア（ＣＣ）と呼ばれることがある。特に、ＬＴＥ−Ａｄｖａｎｃｅｄの導入初期においては、ＬＴＥの旧式の端末が多数を占め、それと比較してＬＴＥ−Ａｄｖａｎｃｅｄ対応端末は少数であろうと予想されうる。従って、旧式の端末についても広帯域のキャリアの効率的な利用を確保すること、すなわち、広帯域ＬＴＥ−Ａｄｖａｎｃｅｄキャリアのすべての部分において旧式の端末がスケジューリングされうるようなキャリアを実装できるようにすることが必要である。これを可能にする簡単なやり方は、キャリアアグリゲーションを使うことであろう。キャリアアグリゲーションは、ＬＴＥ−Ａｄｖａｎｃｅｄ端末が複数のコンポーネントキャリアを受信できることを意味しており、この場合、コンポーネントキャリアは、Ｒｅｌ−８キャリアと同じ構造を有するか、または、少なくとも、有する可能性を有する。キャリアアグリゲーションを図５に示す。
【０００８】
結合されたコンポーネントキャリアの数および個別のコンポーネントキャリアの帯域幅は、アップリンクとダウンリンクとでは異なっていてもよい。対称構成とは、コンポーネントキャリアの数がダウンリンクとアップリンクとで同じである場合のことを言い、それに対して、非対称構成とは、コンポーネントキャリアの数が異なる場合のことを言う。重要なことだが、セルにおいて構成されるコンポーネントキャリアの数は、端末によって観察されるコンポーネントキャリアの数とは異なりうることに留意されたい。例えば、たとえセルがアップリンクとダウンリンクとで同数のコンポーネントキャリアを使って構成されていたとしても、端末が、アップリンクのコンポーネントキャリアより多い数のダウンリンクのコンポーネントキャリアをサポートすることがある。
【０００９】
コンポーネントキャリアのスケジューリングは、ダウンリンク割当てを介してＰＤＣＣＨ（Ｐｈｙｓｉｃａｌ  Ｄｏｗｎｌｉｎｋ  Ｃｏｎｔｒｏｌ  Ｃｈａｎｎｅｌ）上で行われる。また、アップリンクの許可も、ＰＤＣＣＨを介してシグナリングされる。ＰＤＣＣＨ上の制御情報は、ＤＣＩ（Ｄｏｗｎｌｉｎｋ  Ｃｏｎｔｒｏｌ  Ｉｎｆｏｒｍａｔｉｏｎ）メッセージとしてフォーマットされる。ダウンリンク割当てのためのＤＣＩメッセージは、特に、リソースブロック割当て、変調および符号化スキーム関連のパラメータ、ハイブリッドＡＲＱ冗長性バージョン等を含んでいる。また、実際のダウンリンク送信に関係するこれらのパラメータに加えて、ダウンリンク割当てについての大半のＤＣＩフォーマットは、ＴＰＣ（Ｔｒａｎｓｍｉｔ  Ｐｏｗｅｒ  Ｃｏｎｔｒｏｌ）コマンドのためのビットフィールドも含んでいる。これらのＴＰＣコマンドを用いて、ハイブリッドＡＲＱフィードバックを送信するのに用いられる、対応するＰＵＣＣＨのアップリンク電力制御動作が制御される。
【００１０】
ＬＴＥ  Ｒｅｌ−１０におけるＰＤＣＣＨの設計は、Ｒｅｌ−８／９のそれに非常に良く従っている。個々のコンポーネントキャリアの割当ておよび許可は、別個に符号化され、別個のＰＤＣＣＨの中で送信される。一緒に符号化されたＰＤＣＣＨ上で別個に符号化されたＰＤＣＣＨを選択する主な動機は、単純性であり――ここでは、複数のコンポーネントキャリアからのＤＣＩメッセージは１つのエンティティへとひとまとめにされて、一緒に符号化され、単一のＰＤＣＣＨの中で送信されるであろう。
【００１１】
ＬＴＥ  Ｒｅｌ−１０では、ＰＤＣＣＨは、ＣＩＦ（Ｃａｒｒｉｅｒ  Ｉｎｄｉｃａｔｏｒ  Ｆｉｅｌｄ：キャリア識別フィールド）を含むように拡張されるが、これはＬＴＥ  Ｒｅｌ−８／９にはなかったものである。ＣＩＦは、対応する共有チャネルが位置している、そのコンポーネントキャリアを指し示す、ＤＣＩメッセージに付加された３つのビットで構成されてもよい。ダウンリンクの割当てについては、ＣＩＦは、ＰＤＳＣＨを搬送するコンポーネントキャリアを指し示し、他方、アップリンクの許可については、３つのビットを用いて、ＰＵＳＣＨ（Ｐｈｙｓｉｃａｌ  Ｕｐｌｉｎｋ  Ｓｈａｒｅｄ  Ｃｈａｎｎｅｌ）を伝達するコンポーネントキャリアにアドレス指定する。話を簡単にするため、このフィールドは常に３ビットである。
【００１２】
ＣＩＦが構成される場合、たとえ割当てが、コンポーネントキャリアの中のＰＤＳＣＨ（またはアップリンク許可については、リンクされたアップリンクコンポーネントキャリアの中のＰＵＳＣＨ）をアドレス指定する場合でも、あらゆるダウンリンク割当ておよびアップリンク許可はそれらを含んでいる。ＣＩＦが構成されていない場合、キャリアアグリゲーションは、図７に示すように、複数の並行するＲｅｌ−８／９のキャリアのように見える。図８は、ＰＤＣＣＨとＰＤＳＣＨとの間の関係を構成されたＣＩＦと共に示す図である。ダウンリンクのコンポーネントキャリアよりアップリンクのコンポーネントキャリアの方が多くなるように構成された端末の場合、常に、ＣＩＦを使ったアップリンク許可を必要とする。
【００１３】
コンポーネントキャリアに対するＣＩＦのマッピングは、２つの異なる可能性のうちの１つに従って行われうるであろう。
【００１４】
・セル固有マッピング、すなわち、ＣＩＦ値からコンポーネントキャリア番号への同じマッピングが、セル内のすべてのユーザ装置（ＵＥ）によって用いられる。マッピングは、来たるべきＲｅｌ−１０仕様の中の規則またはテーブルに従って与えられるか、または、セル内のシステム情報の一部としてシグナリングされてもよいだろう。セル固有の手法では、マッピングは、固定されるかまたは非常に頻繁に変更されると予想される。
【００１５】
・ＵＥ固有マッピング、すなわち、個々のユーザ装置（ＵＥ）が、ＣＩＦからコンポーネントキャリア番号への自分自身のマッピングを有する。この場合、ＣＩＦからコンポーネントキャリアへのマッピングは、ＵＥ固有の構成情報の一部としてシグナリングされる。この選択肢では、マッピングの変更は、セル固有の選択肢の場合より一層頻繁に行われうる。
【００１６】
時間の経過と共に、ユーザ装置は、異なるコンポーネントキャリア上でデータを送受信する可能性を有するであろうが、必ずしも、例えばｅＮＢのような無線ネットワークノードがそのセルの中で送信するすべてのコンポーネントキャリア上で送受信するとは限らない。ユーザ装置が、無線ネットワークノードによって送信されたすべてのコンポーネントキャリアを受信しなければならなかったとすれば、これは、結果として、例えば、バッテリ時間が不足し、メモリ消費が増えることになるであろう。さらに、無線ネットワークノードが、例えば電力節約を可能にするため、コンポーネントキャリアをオフにする可能性もある。
【００１７】
ＵＥ固有のＣＩＦからＣＣへのマッピングが用いられる場合、ＣＩＦ値からコンポーネントキャリアへのマッピングが更新される時に問題が生じるであろう。マッピングの更新の間、無線ネットワークノードは、再構成されたマッピングをユーザ装置へ送信するため、ネットワークはユーザ装置との間で通信することができない。このため、呼び出し失敗や品質の劣化が生じることがある。
【００１８】
本発明の目的は、ＣＩＦ値からコンポーネントキャリアへのマッピングの更新の間の、ユーザ装置への接続の性能を向上させることでありうる。
【課題を解決するための手段】
【００１９】
一態様によると、この目的は、「ＣＩＦ値」と呼ばれるキャリア識別フィールド値からコンポーネントキャリアへのマッピングを再構成するための、無線ネットワークノードにおける方法によって達成される。各ＣＩＦ値が、各共有データチャネルを含む各コンポーネントキャリアにマッピングされる。各共有データチャネルはそれぞれ、前記の各ＣＩＦ値を搬送する少なくとも１つのダウンリンク制御チャネルに対応している。コンポーネントキャリアは、無線ネットワークノードによって管理される。無線ネットワークノードおよびユーザ装置は、マルチキャリア無線通信システムに含まれる。最初のステップでは、無線ネットワークノードは、ＣＩＦ値からコンポーネントキャリアへの少なくとも１つのマッピングが維持されている間に、ＣＩＦ値からコンポーネントキャリアへのマッピングを再構成する。ＣＩＦ値からコンポーネントキャリアへの前記少なくとも１つのマッピングのコンポーネントキャリアは、前記少なくとも１つのダウンリンク制御チャネルと、前記少なくとも１つのダウンリンク制御チャネルに対応する共有データチャネルとを含んでいる。さらに、無線ネットワークノードは、ＣＩＦ値からコンポーネントキャリアへの少なくとも１つの再構成されたマッピングをユーザ装置へ送信する。
【００２０】
別の態様によると、この目的は、キャリア識別フィールド値からコンポーネントキャリアへのマッピングを再構成するための、無線ネットワークノードにおける装置によって達成される。各ＣＩＦ値が、各共有データチャネルを含む各コンポーネントキャリアにマッピングされる。各共有データチャネルはそれぞれ、前記の各ＣＩＦ値を搬送する少なくとも１つのダウンリンク制御チャネルに対応している。コンポーネントキャリアは、無線ネットワークノードによって管理される。無線ネットワークノードおよびユーザ装置は、マルチキャリア無線通信システムに含まれる。装置は、ＣＩＦ値からコンポーネントキャリアへの少なくとも１つのマッピングが維持されている間に、ＣＩＦ値からコンポーネントキャリアへのマッピングを再構成するように構成された再構成回路を備えていてもよい。ＣＩＦ値からコンポーネントキャリアへの前記少なくとも１つのマッピングのコンポーネントキャリアは、前記少なくとも１つのダウンリンク制御チャネルと、前記少なくとも１つのダウンリンク制御チャネルに対応する共有データチャネルとを含んでいる。さらに、装置は、ＣＩＦ値からコンポーネントキャリアへの少なくとも１つの再構成されたマッピングをユーザ装置へ送信するように構成されたトランシーバを含んでいてもよい。
【００２１】
ＣＩＦ値からコンポーネントキャリアへの少なくとも１つのマッピングが維持されている間に、ＣＩＦ値からコンポーネントキャリアへのマッピングがユーザ装置へ送信されるという事実のおかげで、ユーザ装置は、ＣＩＦ値からコンポーネントキャリアへの前記少なくとも１つのマッピングに対応するコンポーネントキャリア上で送信を続けうる。結果として、ＣＩＦ値からコンポーネントキャリアへのマッピングの更新の間の、ユーザ装置への接続の性能の向上が達成される。
【００２２】
別の言い方をすれば、１つのＣＩＦ値から１つのコンポーネントキャリアへのマッピングが固定されており、すなわち、ＣＩＦ−ＣＣマッピングの再構成（または判定）の間に変更されない。このように、たとえＣＩＦ値からコンポーネントキャリアへのマッピングの更新の間であっても、送信用に利用可能なコンポーネントキャリアが存在するであろう。結果として、ユーザ装置は、たとえ他のＣＩＦ値についてのＣＩＦ−ＣＣマッピングが更新されるとしても、その解釈が保持されているＣＩＦ値に関連付けられたコンポーネントキャリアを利用して、連続的に送受信しうる。
【００２３】
利点は、ユーザ装置におけるＣＩＦ−ＣＣマッピングの更新の間の紛失呼／接続の数が削減されうることである。さらに、ＣＩＦ値からコンポーネントキャリアへのマッピングの更新に起因する接続性能の劣化が回避されうる。
【００２４】
本発明の実施形態のさらなる特徴およびそれらの利点は、添付の請求項および以下の記述を調べれば明らかになるであろう。理解されるべきことだが、添付の請求項によって定義される本発明の範囲から逸脱することなく、本発明による実施形態のさまざまな特徴が組み合わされて、以下に記述した実施形態以外の実施形態を作り出しうる。
【００２５】
本書で開示された実施形態のさまざまな態様は、その個別の特徴および利点を含めて、以下の詳細記述および添付の図面から容易に理解されるであろう。
【図面の簡単な説明】
【００２６】
【図１】ＬＴＥのダウンリンク物理リソースを略示する図である。
【図２】ＬＴＥの時間領域構造を略示する図である。
【図３】ダウンリンクサブフレームを略示する図である。
【図４】ＰＵＳＣＨリソース割当てを略示する図である。
【図５】キャリアアグリゲーションを示す図である。
【図６】本解決策が実装されうる例示的な無線通信システムの概要を示す図である。
【図７】ダウンリンク制御チャネルのＤＣＩメッセージの中にＣＩＦが構成されていない、５つの例示的なコンポーネントキャリアを示す図である。
【図８】ＣＩＦ２がコンポーネントキャリアｆ３にマッピングされる、３つの例示的なコンポーネントキャリアを示す図である。
【図９】ＣＩＦ２がコンポーネントキャリアｆ１にマッピングされる、２つの例示的なコンポーネントキャリアを示す図である。
【図１０】キャリア識別フィールド値からコンポーネントキャリアへのマッピングを再構成するための、図６による無線通信システムにおける方法の一実施形態のシグナリングとフローチャートとを組み合わせて略示する図である。
【図１１】キャリア識別フィールド値からコンポーネントキャリアへのマッピングを再構成するための、無線ネットワークノードにおける方法の一実施形態を略示するフローチャートである。
【図１２】無線ネットワークノードにおける装置の一実施形態を略示するブロック図である。
【発明を実施するための形態】
【００２７】
以下の記述の全体にわたって、適用できる場合、類似する要素、部分、ノード、システム、項目または特徴を表すのに、類似する参照番号が用いられている。図７、図８、図９に、ＣＩＦが有効なコンポーネントキャリアとＣＩＦが無効なコンポーネントキャリアとの異なる例を示す。図７ではＣＩＦが無効であり、図８および図９ではＣＩＦが有効である。また、図８は構成を示しているが、ここではＣＩＦ値からコンポーネントキャリアへのマッピングは、図９に示す構成によって示すＣＩＦ値からコンポーネントキャリアへのマッピングとは異なる。
【００２８】
図６は、実施形態が実装されうる、例示的なマルチキャリア無線通信システム１００の概要を示す図である。マルチキャリア無線通信システム１００は、無線ネットワークノード１３０とユーザ装置１２０とを備えている。矢印は、ユーザ装置１２０が、例えばＰＤＣＣＨのようなダウンリンク制御チャネル、および、ＰＤＳＣＨまたはＰＵＳＣＨのような共有データチャネルを用いて無線ネットワークノード１３０との間で情報を交換しうることを示す。
【００２９】
図７は、５つの例示的なコンポーネントキャリアｆ１、ｆ２、ｆ３、ｆ４、ｆ５を示す図であるが、ダウンリンク制御チャネルのＤＣＩメッセージの中にＣＩＦが構成されていない。図５に示すように、ＬＴＥ−Ａｄｖａｎｃｅのような無線通信システムが、各々が２０ＭＨｚの５つのコンポーネントキャリアを含む、結合されたキャリアを用いてもよい。図７では、個々のコンポーネントキャリアが、個別に符号化された自分自身のＰＤＣＣＨを有することが分かるであろう。ＰＤＣＣＨの拡大図に、ＤＣＩ（Ｄｏｗｎｌｉｎｋ  Ｃｏｎｔｒｏｌ  Ｉｎｆｏｒｍａｔｉｏｎ）メッセージはＣＩＦ値を含んでいないことを示す。ＣＩＦが用いられていないため、ＰＤＣＣＨは、矢印で表すように、同じコンポーネントキャリア上に割り当てられたＰＤＳＣＨを指し示している。
【００３０】
図８は３つの例示的なコンポーネントキャリアｆ１、ｆ２、ｆ３を示す図であり、ＣＩＦ２がコンポーネントキャリアｆ３にマッピングされている。図８では、拡大図で示すように、ＤＣＩメッセージはＣＩＦ値を含んでいる。それゆえ、ＣＩＦが有効である。１つのコンポーネントキャリアの中で送信されたダウンリンク割当てが、別のコンポーネントキャリアの中のＰＤＳＣＨを指し示してもよい。この場合、コンポーネントキャリアｆ２のＰＤＣＣＨのＣＩＦ値は、コンポーネントキャリアｆ３のＰＤＳＣＨに対してクロススケジューリングする。コンポーネントキャリアｆ２とコンポーネントキャリアｆ３との間の矢印を参照されたい。
【００３１】
留意されうることだが、ＣＩＦ値からコンポーネントキャリアへのマッピングは、テーブルまたはマトリクスの形式で実現されてもよく、この場合、例えば、１つのＣＩＦ値と１つのコンポーネントキャリアとを含む１つの行が、この特定のＣＩＦ値はその行のコンポーネントキャリアにマッピングされることを示す。それゆえ、各ペアが１つのＣＩＦ値と１つの対応するコンポーネントキャリアとを備えているような１つ以上のペアが形成され、ＣＩＦ値からコンポーネントキャリアへのマッピングを表現する。それゆえ、１つのマッピングとは、１つのＣＩＦ値と１つのコンポーネントキャリア（というよりむしろ、コンポーネントキャリアを示すためのコンポーネントキャリア番号）とを含む１つのそのようなペアのことをいう。
【００３２】
図９では、図８の状況のＣＩＦ値が再構成されている。また、無線ネットワークノード１３０は、コンポーネントキャリアｆ３のスイッチを切る（シャットダウンする）ことをすでに決めている。ここで、ＣＩＦ値ＣＩＦ２が、矢印で示すようにコンポーネントキャリアｆ１にマッピングされる。図８では、ＣＩＦ値ＣＩＦ２が、コンポーネントキャリアｆ３にマッピングされている。注目すべきことだが、ＣＩＦ値ＣＩＦ１は保持されており、すなわち、このＣＩＦ値と個別のコンポーネントキャリアｆ２とが、ＣＩＦ値からコンポーネントキャリアへのマッピングの更新の間にユーザ装置１２０によって用いられうるように、図８および図９のいずれもコンポーネントキャリアｆ２を指し示している。
【００３３】
図１０に、キャリア識別フィールド値からコンポーネントキャリアへのマッピングを再構成するための、図６による無線通信システム１００における方法の一形態のシグナリングとフローチャートとを組み合わせて略示する。各ＣＩＦ値が、各共有データチャネルを含む各コンポーネントキャリアにマッピングされる。各共有データチャネルはそれぞれ、前記の各ＣＩＦ値を搬送する（または含む）少なくとも１つのダウンリンク制御チャネルに対応している。コンポーネントキャリアは、無線ネットワークノード１３０によって管理される。無線ネットワークノード１３０およびユーザ装置１２０が、マルチキャリア無線通信システム１００に含まれる。以下のステップが行われうる。注目すべきことだが、方法の一部の実施形態では、ステップの順序は、以下に示すものとは異なることがある。
【００３４】
２１０  無線ネットワークノード１３０が、ＣＩＦ値からコンポーネントキャリアへの少なくとも１つのマッピングを維持しながら、ＣＩＦ値からコンポーネントキャリアへのマッピングを再構成する。ＣＩＦ値からコンポーネントキャリアへの前記少なくとも１つのマッピングのコンポーネントキャリアは、前記少なくとも１つのダウンリンク制御チャネルと、前記少なくとも１つのダウンリンク制御チャネルに対応する共有データチャネルとを含んでいる。
【００３５】
２２０  ユーザ装置１２０は、ＣＩＦ値からコンポーネントキャリアへの再構成されたマッピングのうちの少なくとも１つを、無線ネットワークノード１３０から受信する。
【００３６】
本解決策は、例えばｅＮＢのような無線ネットワークノード１３０が、ＰＤＣＣＨおよびＰＤＳＣＨを搬送するコンポーネントキャリア（またはアンカーキャリア、プライマリーセルともいう）上でデータをスケジューリングする可能性を常に有することを可能にする。それゆえ、無線ネットワークノード１３０は、たとえ自分のその他のすべてのＣＩＦからコンポーネントキャリアへのキャリアマッピングを再構成している時であっても、ユーザ装置をスケジューリングしうる。また、一部の実施形態では、これによって、Ｒａｄｉｏ  Ｒｅｓｏｕｒｃｅ  Ｃｏｎｔｒｏｌプロトコル上のシグナリングオーバヘッドが軽減され、マッピングの更新の間にユーザ装置１２０と無線ネットワークノード１３０との間の通信の低下が避けられる。ユーザ装置がマッピングの更新の直前にハンドオーバを開始するシナリオでは、ユーザ装置は、接続を維持するために高出力で送信する必要がありうる。そのようなシナリオでは、実施形態によって、ユーザ装置の大幅なバッテリ消費および／または不要なユーザ装置のメモリ使用が回避される。
【００３７】
図１１は、キャリア識別フィールド値からコンポーネントキャリアへのマッピングを再構成するための、無線ネットワークノード１３０における例示的な方法を示す図である。図１１のフローチャートは、図１０のシグナリングおよびフローチャートの組み合わせに対応している。適用できる場合には、同じ参照番号を用いている。各ＣＩＦ値が、各共有データチャネルを含む各コンポーネントキャリアにマッピングされる。各共有データチャネルはそれぞれ、前記の各ＣＩＦ値を搬送する（または含む）少なくとも１つのダウンリンク制御チャネルに対応している。コンポーネントキャリアは、無線ネットワークノード１３０によって管理される。無線ネットワークノード１３０およびユーザ装置１２０が、マルチキャリア無線通信システム１００に含まれる。以下のステップが行われうる。注目すべきことだが、方法の一部の実施形態では、ステップの順序は、以下に示すものとは異なることがある。
【００３８】
２１０  無線ネットワークノード１３０が、ＣＩＦ値からコンポーネントキャリアへの少なくとも１つのマッピングを維持しながら、ＣＩＦ値からコンポーネントキャリアへのマッピングを再構成する。ＣＩＦ値からコンポーネントキャリアへの前記少なくとも１つのマッピングのコンポーネントキャリアは、前記少なくとも１つのダウンリンク制御チャネルと、前記少なくとも１つのダウンリンク制御チャネルに対応する共有データチャネルとを含んでいる。
２２０  無線ネットワークノード１３０は、ＣＩＦ値からコンポーネントキャリアへの再構成されたマッピングのうちの少なくとも１つを、ユーザ装置１２０へ送信する。
【００３９】
ネットワークノード１３０における方法の一部の実施形態では、ＣＩＦ値からコンポーネントキャリアへの前記少なくとも１つのマッピングのコンポーネントキャリアがプライマリーセルに対応しており、そして、プライマリーセルは、無線ネットワークノード１３０によって管理されるコンポーネントキャリアのうちの１つである。利点は、ユーザ装置の観点から見て、プライマリーセル上では、チャネル品質が他のセルより良好でありうるということであってもよい。
【００４０】
ネットワークノード１３０における方法の一部の実施形態では、ＣＩＦ値からコンポーネントキャリアへの前記少なくとも１つのマッピングのＣＩＦ値は、ゼロに等しい。
【００４１】
ネットワークノード１３０における方法の一部の実施形態では、構成されたマッピングを送信すること２３０は、さらに、ＣＩＦ値からコンポーネントキャリアへの前記少なくとも１つのマッピングをユーザ装置１２０へ送信することを控えるかないしは停止すること２３０を含んでいる。結果として、ＣＩＦ値からコンポーネントキャリアへの前記少なくとも１つのマッピングは、事前に決める必要がありうる。利点は、無線ネットワークノード１３０からユーザ装置１２０へ送信される必要がある情報が減るということであってもよい。
【００４２】
ネットワークノード１３０における方法の一部の実施形態では、マルチキャリア無線通信システムがＬＴＥシステムである場合、制御チャネルはＰＤＣＣＨであり、共有データチャネルはＰＤＳＣＨまたはＰＵＳＣＨである。それゆえ、留意されうることだが、本書で提示した実施形態は、ダウンリンク割当てにもアップリンク許可にも適用可能でありうる。
【００４３】
ネットワークノード１３０における方法の一部の実施形態では、再構成されたマッピングの少なくとも一部を送信するステップは、Ｒａｄｉｏ  Ｒｅｓｏｕｒｃｅ  Ｃｏｎｔｒｏｌプロトコルを用いて行われ、これをＲＲＣプロトコルと呼ぶこともある。
【００４４】
次に、図１２に、上記の方法を行うように構成された、無線ネットワークノード１３０の中の装置４００を示す。それゆえ、装置４００は、キャリア識別フィールド値からコンポーネントキャリアへのマッピングを再構成するように構成される。各ＣＩＦ値が、各共有データチャネルを含む各コンポーネントキャリアにマッピングされる。各共有データチャネルはそれぞれ、前記の各ＣＩＦ値を搬送する少なくとも１つのダウンリンク制御チャネルに対応している。コンポーネントキャリアは、無線ネットワークノード１３０によって管理される。無線ネットワークノード１３０およびユーザ装置１２０が、マルチキャリア無線通信システム１００に含まれる。装置４００は、ＣＩＦ値からコンポーネントキャリアへの少なくとも１つのマッピングを維持しながら、ＣＩＦ値からコンポーネントキャリアへのマッピングを再構成するように構成された再構成回路４１０を含んでいてもよい。再構成回路４１０は、処理回路／ユニット、プロセッサ、ＡＳＩＣ（特定用途向け集積回路）、ＦＰＧＡ（フィールド・プログラマブル・ゲート・アレイ）等であってもよい。ＣＩＦ値からコンポーネントキャリアへの前記少なくとも１つのマッピングのコンポーネントキャリアは、前記少なくとも１つのダウンリンク制御チャネルと、前記少なくとも１つのダウンリンク制御チャネルに対応する共有データチャネルとを含んでいる。装置４００はさらに、ＣＩＦ値からコンポーネントキャリアへの少なくとも１つの再構成されたマッピングをユーザ装置１２０へ送信するように構成されたトランシーバ４２０を備えている。また、装置４００は、例えばプロセッサによって実行されることになるソフトウェアを記憶するためのメモリ４３０を備えていてもよい。ソフトウェアは、プロセッサが上記の方法を行うことを可能にするための命令を備えていてもよい。
【００４５】
無線ネットワークノード１３０の中の装置４００の一部の実施形態では、トランシーバ４２０が、送信／受信ユニットであってもよいし、適切となるように送信器および／または受信器を備えていてもよい。
【００４６】
無線ネットワークノード１３０の中の装置４００の一部の実施形態では、ＣＩＦ値からコンポーネントキャリアへの前記少なくとも１つのマッピングのコンポーネントキャリアがプライマリーセルに対応しており、そして、プライマリーセルは、無線ネットワークノード１３０によって管理されるコンポーネントキャリアのうちの１つである。利点は、ユーザ装置の観点から見て、プライマリーセル上では、チャネル品質が他のセルより良好でありうるということであってもよい。
【００４７】
無線ネットワークノード１３０の中の装置４００の一部の実施形態では、ＣＩＦ値からコンポーネントキャリアへの前記少なくとも１つのマッピングのＣＩＦ値は、ゼロに等しい。
【００４８】
無線ネットワークノード１３０の中の装置４００の一部の実施形態では、トランシーバ４２０はさらに、ＣＩＦ値からコンポーネントキャリアへの前記少なくとも１つのマッピングをユーザ装置１２０へ送信することを控えるように構成される。結果として、ＣＩＦ値からコンポーネントキャリアへの前記少なくとも１つのマッピングは、事前に決める必要がありうる。利点は、無線ネットワークノード１３０からユーザ装置１２０へ送信される必要がある情報が減るということであってもよい。
【００４９】
無線ネットワークノード１３０の中の装置４００の一部の実施形態では、制御チャネルはＰＤＣＣＨであり、共有データチャネルはＰＤＳＣＨまたはＰＵＳＣＨである。
【００５０】
無線ネットワークノード１３０の中の装置４００の一部の実施形態では、トランシーバ４２０は、さらに、再構成されたマッピングの少なくとも一部をユーザ装置１２０へ送信する場合、Ｒａｄｉｏ  Ｒｅｓｏｕｒｃｅ  Ｃｏｎｔｒｏｌ（無線リソース制御）プロトコルを用いるように構成されてもよい。
【００５１】
一部の実施形態では、ＣＩＦ値の１つのマッピングは、固定されるべきであり、従って、ＰＤＣＣＨとＰＤＳＣＨとを両方搬送するコンポーネントキャリア（例えば、図８および図９のコンポーネントキャリアｆ２）を再構成することはできない。
【００５２】
一実施形態の一例では、ＣＩＦ値の解釈は、仕様によって固定されており、すなわち、ＰＤＣＣＨが送信されるのと同じコンポーネントキャリアを指し示すように再構成することは不可能である。固定されたＣＩＦ値は、例えば、常にＣＩＦ＝０であると、標準によって定義されてもよいし、あるいは、ＲＲＣシグナリング（同報または専用のシグナリング）を通じてすべてのＵＥについて同じ値に構成されてもよい。一例では、このコンポーネントキャリアは、ＣＩＦ＝０の値に対応するであろう。従って、再構成期間の間であっても、明確に１つのＣＩＦ値を用いてもよく、従って、ネットワークが端末と通信する可能性が常に存在する。
【００５３】
一実施形態の一例では、ＣＩＦ値の解釈は、事前設定されたコンポーネントキャリア、例えば、いわゆるアンカーキャリアを指し示すように固定される。アンカーキャリアは、例えば、システム情報を受信するために、（ＤＴＸサイクルと略称される、いずれかのＤｉｓｃｏｎｔｉｎｕｏｕｓ  Ｔｒａｎｓｍｉｓｓｉｏｎ  Ｃｙｃｌｅに従って）ＵＥが常に監視しなければならないコンポーネントキャリアである。また、アンカーキャリアは、３ＧＰＰ用語によればプライマリーセルとも呼ばれる。
【００５４】
本発明の複数の実施形態について記述してきたが、当業者には、多くの異なる変形形態、修正形態等が明らかになるであろう。従って、記述した実施形態は、本発明の範囲を制限することが意図されているのではなく、本発明の範囲は、添付の請求項によって定義される。
【図１】
0005540110.tif 000002
【図２】
0005540110.tif 000003
【図３】
0005540110.tif 000004
【図４】
0005540110.tif 000005
【図５】
0005540110.tif 000006
【図６】
0005540110.tif 000007
【図７】
0005540110.tif 000008
【図８】
0005540110.tif 000009
【図９】
0005540110.tif 000010
【図１０】
0005540110.tif 000011
【図１１】
0005540110.tif 000012
【図１２】
0005540110.tif 000013